(57)【特許請求の範囲】
【請求項１】
モータの第１方向の回転により駆動機構と歯合して上記モータの駆動力を伝達する伝達位置と、上記モータの第２方向の回転により上記駆動機構から離間して伝達を解除する解除位置と、の間を移動可能であって、アーム部材を介して太陽歯車に連結された遊星歯車を有する遊星歯車クラッチ機構と、
上記遊星歯車が上記解除位置にある際に上記アーム部材と当接可能な位置に設けられ、上記モータの第２方向の回転による遊星歯車の公転を、上記解除位置にて規制する規制部材と、
上記遊星歯車クラッチ機構の遊星歯車の公転軌跡内に上記遊星歯車の歯と係合可能に配置されていて、上記解除位置で上記モータの回転が停止した状態にて上記遊星歯車クラッチ機構が、上記解除位置から移動しないように、上記遊星歯車クラッチ機構を、上記規制部材に当接させる方向に付勢する弾性部材と、
を具備し、
上記遊星歯車クラッチ機構の遊星歯車が上記伝達位置から上記解除位置へと公転する際に、上記遊星歯車の自転力が公転力に変換されるように上記遊星歯車と上記弾性部材とが係合することを特徴とする駆動伝達機構。
【請求項２】
モータの第１方向の回転により駆動機構と歯合して上記モータの駆動力を伝達する伝達位置と、上記モータの第２方向の回転により上記駆動機構から離間して伝達を解除する解除位置と、の間を移動可能であって、アーム部材を介して太陽歯車に連結された遊星歯車を有する遊星歯車クラッチ機構と、
上記遊星歯車が上記解除位置にある際に上記アーム部材と当接可能な位置に設けられ、上記モータの第２方向の回転による遊星歯車の公転を、上記解除位置にて規制する規制部材と、
上記遊星歯車クラッチ機構の遊星歯車の公転軌跡内に上記遊星歯車の歯と係合可能に配置されていて、上記モータの第２方向の回転により上記遊星歯車クラッチ機構が、上記解除位置へ公転移動する際に、上記遊星歯車と係合しつつ弾性変形して該遊星歯車の上記解除位置への公転を許容する弾性部材と、
を具備し、
上記遊星歯車クラッチ機構の遊星歯車が、上記解除位置に達して上記モータの回転が停止した状態では、上記規制部材及び上記弾性部材によって上記解除位置に係止されると共に、上記遊星歯車クラッチ機構の遊星歯車が上記伝達位置から上記解除位置へと公転する際に、上記遊星歯車の自転力が公転力に変換されるように上記遊星歯車と上記弾性部材とが係合することを特徴とする駆動伝達機構。
【請求項３】
上記弾性部材は、上記遊星歯車の歯部に係合する板バネで構成したことを特徴とする請求項１又は２記載の駆動伝達機構。
【発明の詳細な説明】
【０００１】
【発明の属する技術分野】
この発明は、例えばフィルムをスプールに自動装填するフィルム巻上げ機構等の各種の駆動機構を備えるカメラ等に用いられる駆動伝達機構に関する。
【０００２】
【従来の技術】
一般に、カメラに配備されるフィルム給送装置は、フィルムパトローネがフィルム収納部に収容されると、フィルムパトローネのフィルムをスプールに自動装填する。このようなフィルム給送装置は、例えばモータにより駆動される太陽歯車と、該太陽歯車に歯合する遊星歯車とを備えた遊星歯車クラッチ機構を用いて、該遊星歯車の公転軌跡上に配置された巻上げ用被駆動歯車に対して上記遊星歯車を歯合させてフィルム巻上げ給送を行う位置と、別の駆動手段によりフィルム巻戻しをするにあたり、上記遊星歯車を離間させる位置とに選択的に駆動する。
【０００３】
即ち、遊星歯車クラッチ機構を構成する遊星歯車は、モータが第１方向に回転駆動されると、第１方向に公転移動されて巻上げ用被駆動歯車と歯合し、該巻上げ用被駆動歯車を回転駆動してスプールを回転させ、フィルム巻上げ給送を実行する。また、上記モータが反転されて第２方向に回転駆動されると、反転されて第２方向に公転移動され、遊星歯車を上記巻上げ用被駆動歯車から離間させた状態としたうえで、別の巻戻し手段によって、スプールに巻取られたフィルムをフィルムパトローネへ巻戻し給送する。
【０００４】
ところで、このような遊星歯車クラッチ機構においては、外部からの衝撃等により、被駆動歯車から離間された状態に静止していた遊星歯車が、被駆動歯車に歯合してしまうことにより生じる誤動作を防止するために、遊星歯車の離間位置に固定歯車を配置して、離間した遊星歯車を固定歯車に歯合させておくことにより、確実な動作制御を行うように構成される。
【０００５】
しかしながら、上記遊星歯車クラッチ機構では、その構成上、遊星歯車の切換角度を十分に採らないと、高精度な切換動作を実現するのが困難なために、固定歯車を配置するのに十分な配置スペースが必要となり、大型となるという不都合を有する。
【０００６】
係る事情は、フィルム巻上げ機構を動作制御する遊星歯車クラッチ機構に限ることなく、その他、スプールに巻取られたフィルムをフィルムパトローネに巻戻すためのフィルム巻戻し機構等のカメラ駆動機構を動作制御する遊星歯車クラッチ機構においても同様である。
【０００７】
【発明が解決しようとする課題】
以上述べたように、従来のカメラでは、遊星歯車クラッチ機構の動作制御の確実化を図ると、大型となるという不都合を有する。
【０００８】
この発明は上記の事情に鑑みてなされたもので、構成簡易にして、スペースをとらずに小型化の促進を図り得、且つ、確実な動作制御を実現し得るようにした駆動伝達機構を提供することを目的とする。
【０００９】
【課題を解決するための手段】
この発明の駆動伝達機構は、モータの第１方向の回転により駆動機構と歯合して上記モータの駆動力を伝達する伝達位置と、上記モータの第２方向の回転により上記駆動機構から離間して伝達を解除する解除位置と、の間を移動可能であって、アーム部材を介して太陽歯車に連結された遊星歯車を有する遊星歯車クラッチ機構と、上記遊星歯車が上記解除位置にある際に上記アーム部材と当接可能な位置に設けられ、上記モータの第２方向の回転による遊星歯車の公転を、上記解除位置にて規制する規制部材と、上記遊星歯車クラッチ機構の遊星歯車の公転軌跡内に上記遊星歯車の歯と係合可能に配置されていて、上記解除位置で上記モータの回転が停止した状態にて上記遊星歯車クラッチ機構が、上記解除位置から移動しないように、上記遊星歯車クラッチ機構を、上記規制部材に当接させる方向に付勢する弾性部材とを備えて上記遊星歯車クラッチ機構の遊星歯車が上記伝達位置から上記解除位置へと公転する際に、上記遊星歯車の自転力が公転力に変換されるように上記遊星歯車と上記弾性部材とが係合されるように構成した。
上記構成によれば、遊星歯車の公転軌跡内に配置した弾性部材により、公転移動される遊星歯車の自転力を公転力に変換して、その公転力を利用して遊星歯車クラッチ機構を規制部材に圧接させることにより、これら規制部材及び弾性部材により協働して遊星歯車クラッチ機構を解除位置に位置規制している。
【００１０】
従って、遊星歯車の切換角度を最小限に保ったうえで、外部衝撃による遊星歯車の誤動作を確実に防止することができて、可及的に小型化の促進を図ることができる。
【００１１】
また、この発明の駆動伝達機構は、モータの第１方向の回転により駆動機構と歯合して上記モータの駆動力を伝達する伝達位置と、上記モータの第２方向の回転により上記駆動機構から離間して伝達を解除する解除位置と、の間を移動可能であって、アーム部材を介して太陽歯車に連結された遊星歯車を有する遊星歯車クラッチ機構と、上記遊星歯車が上記解除位置にある際に上記アーム部材と当接可能な位置に設けられ、上記モータの第２方向の回転による遊星歯車の公転を、上記解除位置にて規制する規制部材と、上記遊星歯車クラッチ機構の遊星歯車の公転軌跡内に上記遊星歯車の歯と係合可能に配置されていて、上記モータの第２方向の回転により上記遊星歯車クラッチ機構が、上記解除位置へ公転移動する際に、上記遊星歯車と係合しつつ弾性変形して該遊星歯車の上記解除位置への公転を許容する弾性部材と、を備え、上記遊星歯車クラッチ機構の遊星歯車が、上記解除位置に達して上記モータの回転が停止した状態では、上記規制部材及び上記弾性部材によって上記解除位置に係止されると共に、上記遊星歯車クラッチ機構の遊星歯車が上記伝達位置から上記解除位置へと公転する際に、上記遊星歯車の自転力が公転力に変換されるように上記遊星歯車と上記弾性部材とが係合されるように構成した。
【００１２】
上記構成によれば、遊星歯車の公転軌跡内に配置した弾性部材により、公転移動される遊星歯車の自転力を公転力に変換して、その公転力を利用して遊星歯車クラッチ機構を規制部材に圧接させることにより、これら規制部材及び弾性部材により協働して遊星歯車クラッチ機構を、解除位置に位置規制している。
【００１３】
そして、弾性部材で構成したことにより、遊星歯車クラッチ機構が規制部材に圧接した後も遊星歯車は、弾性部材を歯部で逃がすように撓ませながら自転が可能となる。確実に解除位置に移動できる。
【００１４】
従って、遊星歯車の切換角度を最小限に保ったうえで、外部衝撃による遊星歯車の誤動作を確実に防止することができて、可及的に小型化の促進を図ることができる。
【００１５】
また、この発明は、上記弾性部材を、上記遊星歯車の歯部に係合する板バネで構成した。これによれば、簡便な組付け配置を実現したうえで、構成の簡略化を図ることが可能となる。
【００１６】
【発明の実施の形態】
以下、この発明の実施の形態について、図面を参照して詳細に説明する。
【００１７】
図１は、この発明の一実施の形態の適用されるカメラの概略構成を示すもので、カメラ本体１０には、その略中央部の図示しないアパーチャに対応してミラーボックス１１が組付けられ、このミラーボックス１１の前面には、図示しない撮像レンズ鏡筒が配設される。また、カメラ本体１０には、ミラーボックス１１に対して左側にパトローネ室１２及び電池室１３が配設され、そのミラーボックス１１に対して右側にスプール室１４が配設されている。
【００１８】
さらに、上記カメラ本体１０の下端部には、カメラ駆動機構取付台１５が組付けられる。このカメラ駆動機構取付台１５には、その略中央部にミラー・シャッタ駆動ユニット１６が取付けられ、このミラー・シャッタ駆動ユニット１６には、減速伝達機構１７及び遊星歯車クラッチ機構１８を介してフィルム巻戻し給送・ミラー・シャッタ駆動用の第１のモータ１９が回転力伝達可能に設けられる。この第１のモータ１９は、接続端子１９１を介して図２に示す後述するカメラ駆動制御系を構成するモータ制御回路４０に電気的に接続される。
【００１９】
上記ミラー・シャッタ駆動ユニット１６には、ミラー駆動機構８及びシャッタチャージ機構９が内蔵される（図２参照）。これらミラー駆動機構８及びシャッタチャージ機構９は、上記第１のモータ１９の回転力が上記減速伝達機構１７及び遊星歯車クラッチ機構１８を介して回転力伝達可能に連結される。
【００２０】
上記ミラーボックス１１には、メインミラー２０及びフォーカルプレンシャッタ２１が組付けられる。このうちメインミラー２０は、上記ミラー・シャッタ駆動ユニット１６に内蔵されるミラー駆動機構８のミラー駆動レバー８１に連結される。他方のフォーカルプレンシャッタ２１は、上記ミラー・シャッタ駆動ユニット１６に内蔵されるシャッタチャージ機構９に連結される。
【００２１】
また、上記カメラ駆動機構取付台１５には、フィルム巻戻し機構２２が上記第１のモータ１９に対応して配設される。このフィルム巻戻し機構２２は、上記第１のモータ１９の回転力が、上記減速伝達機構１７及び遊星歯車クラッチ機構１８を介して、該巻戻し歯車２２１に回転力伝達可能に連結され、巻戻し歯車２２１にはフォーク歯車２２２が歯合される。このフォーク歯車２２２には、フォーク部２２３が設けられ、このフォーク部２２３が上記パトローネ室１２内に収容配置される図示しないフィルムパトローネの巻取り部に回転力伝達可能に係合される。
【００２２】
さらに、巻上げ駆動ユニット２３及びフィルム巻上げ用の第２のモータ２４が上記カメラ本体１０のスプール室１４に対応して配設される。第２のモータ２４は、図３に示すように巻上げ駆動ユニット２３を構成する基台としてのユニットケース２５に取付けられ、第２のモータ２４の周囲には、フィルム巻上げ用のスプール２６が回転自在に外装されて上記カメラ本体１０のスプール室１４に収容配置される。そして、第２のモータ２４の接続端子２４１は、上記図２に示すモータ制御回路４０に電気的に接続される。
【００２３】
上記スプール２６には、その基端に巻上げ歯車２６１が設けられ、この巻上げ歯車２６１は、図４及び図５に示すように上記ユニットケース２５に回転自在に配設される被駆動歯車を構成する第１の巻上げ歯車２７の小歯車部２７１に歯合される。この第１の巻上げ歯車２７には、上記小歯車部２７１と一体的に大歯車部２７２が設けられ、この大歯車部２７２は、上記ユニットケース２５に回転自在に配設される第２の巻上げ歯車２８の小歯車部２８１に歯合される。この第２の巻上げ歯車２８には、上記小歯車部２８１と一体的に大歯車部２８２が設けられ、この大歯車部２８２には、遊星歯車クラッチ機構２９を構成する遊星歯車３０が回転力伝達可能に選択的に歯合する。
【００２４】
遊星歯車３０は、上記ユニットケース２５に回転自在に配設される太陽歯車３１の小歯車部３１１に歯合される。太陽歯車３１には、上記小歯車部３１１と一体的に大歯車部３１２が設けられ、この大歯車部３１２は、上記第２のモータ２４のピニオン２４１に歯合される（図５参照）。そして、この遊星歯車３０は、太陽歯車３１にアーム部材３２を介して公転可能に連結される。
【００２５】
上記構成により、遊星歯車３０は、第２のモータ２４が第１方向である一方方向に回転駆動されて太陽歯車３１が図５中の反時計方向に回動されると、図６に示すようにアーム部材３２を介して反時計方向に公転されて第２の巻上げ歯車２８の大歯車部２８２に歯合される伝達位置に案内される。そして、遊星歯車３０は、上記第２のモータ２４が反転されて第２方向に回転駆動され、太陽歯車３１が図５中の時計方向に回転されると、アーム部材３２を介して時計方向に反転されて第２の巻上げ歯車２８の大歯車部２８２から離間される解除位置に案内される（図５参照）。
【００２６】
また、ユニットケース２５には、規制部材である突起部３３が上記遊星歯車３０の解除位置におけるアーム部材３２に対応して設けられると共に、弾性部材である板バネ３４が遊星歯車３０の歯部に対応して設けられる。
【００２７】
板バネ３４には、その先端を折曲げた部分に、例えば弾性を有した係止部３４１が遊星歯車３０の歯部に対応して設けられ、その基端に取付部３４２がユニットケース２５の取付面に対応して設けられる。この取付部３４２には、略中央部にボス孔３４３が上記ユニットケース２５のボス２５１に対応して設けられ、このボス孔３４３を挟んで一対の取付孔（図の都合上、図示せず）が、上記ユニットケース２５の一対の位置決めボス２５２に対応して設けられる。位置決めボス２５２により、板バネ３４は、ユニットケース２５に位置決めされる。
【００２８】
そして、板バネ３４は、そのボス孔３４３に対してユニットケース２５のボス２５１が挿入され、その取付孔（図示せず）に取付凸部２５２が挿入された状態で、その係止部３４１がユニットケース２５における遊星歯車３０の公転軌跡上に取付け配置される。これにより、板バネ３４は、遊星歯車３０が解除位置に到達した状態では（図５参照）、その係止部３４１が遊星歯車３０の歯部に弾性係合される。同時に、遊星歯車３０を支持するアーム部材３２は、その側部がユニットケース２５の突起部３３に当接される。
【００２９】
このように図６に示す伝達位置から遊星歯車３０が図５に示す解除位置へ公転駆動されていくと、途中で板バネ３４の係止部３４１に遊星歯車３０の歯部が弾性係合し始め、遊星歯車３０の自転力が板バネ３４により公転力に変換されて、公転を続けようとする。そして、わずかに公転したところで、アーム部材３２の側部がユニットケース２５の突起部３３に当接する。ここで、アーム部材３２は、板バネ３４の付勢力によりユニットケース２５の突起部３３に圧接された状態で、解除位置に位置規制される。そして、板バネ３４で構成したことにより、遊星歯車３０が解除位置に位置規制された状態でも自転することができる。この結果、遊星歯車３０及びアーム部材３２は、確実に伝達位置から解除位置に移動でき、かつ、外部から衝撃等が付与された場合においても板バネ３４の付勢力により、伝達位置に変位したりすることなく、解除位置を保つことができる。
【００３０】
また、上記板バネ３４は、上記解除位置において、第２のモータ２４が第１方向に回転駆動されて太陽歯車３１が図５中反時計方向に回転されて、遊星歯車３０がアーム部材３２を介して反時計方向に公転されると、その公転力により、その係止部３４１が遊星歯車３０の歯部から離脱され、該遊星歯車３０の第２の巻上げ歯車２８の大歯車部２８２に歯合される伝達位置への公転を許容する。
【００３１】
さらに、上記太陽歯車３１の大歯車部３１１には、公知のフィルム走行中に日付を写し込むために、精密にフィルム移動量を検出するための移動検出円板３６の図示しない歯車部が歯合される。この移動検出円板３６には、複数の検出パターン３６１が所定の間隔に設けられ、この検出パターン３６１を挟装するようにフォトインタラプタ３７が組合せ配置される。
【００３２】
フォトインタラプタ３７は、例えば上記ユニットケース２５上に被着される蓋３５に移動検出円板３６の検出パターン３６１を挟装するように取り付けられる。これにより、フォトインタラプタ３７は、移動検出円板３６の回転にともなって検出パターン３６１をカウントして詳細を後述するカメラ駆動制御系を構成する中央演算処理装置（ＣＰＵ）４２に出力する。
【００３３】
ここで、上記カメラ駆動制御系について、上記図２を参照して説明する。即ち、上記ＣＰＵ４２には、その第１及び第２の入力端に上記フィルム移動検出手段４１の出力端が接続され、その第３の入力端には、フィルム巻戻し検出スイッチ４４の出力端が接続される。また、ＣＰＵ４２には、その第４の入力端にミラー・シャッタ位置検出用の位置検出手段４５の出力端が接続され、その出力端に、上記モータ制御回路４０が接続される。
【００３４】
上記フィルム移動検出手段４１は、図示しないフォトリフレクタでフィルムの移動量を検出して、その巻上げ検出信号又は巻戻し検出信号を上記ＣＰＵ４２に出力する。
【００３５】
上記モータ制御回路４０は、その一方の出力端に上記第２のモータ２４が接続され、その他方の出力端に上記第１のモータ２９が接続され、上記ＣＰＵ４２からの駆動信号に応動して上記第１及び第２のモータ１９、２４を選択的に駆動制御して後述するようにフィルム巻上げ給送及びフィルム巻戻し給送を実行する。
【００３６】
このうち第１のモータ１９は、減速伝達機構１７を介して遊星歯車クラッチ機構１８が連結されており、その回転方向に応じて遊星歯車クラッチ機構１８を介して、上記ミラー・シャッタ駆動ユニット１６に収容配置されるシャッタチャージ機構９、ミラー駆動機構８あるいはフィルム巻戻し機構２２のいずれかに選択的に回転力伝達可能に連結される。このように第１のモータ１９は、その回転方向に応じて遊星歯車クラッチ機構１８を介してシャッタチャージ機構９、ミラー駆動機構８あるいはフィルム巻戻し機構２２のいずれかを選択的に駆動して、フォーカルプレンシャッタ２１、メインミラー２０の駆動あるいはフィルム巻戻し給送を実行する。
【００３７】
例えば上記ミラー・シャッタ駆動ユニット１６のシャッタチャージ機構９及びミラー駆動機構８を駆動する場合には、上記第１のモータ１９が、フィルム巻戻し時と逆方向に回転駆動される。すると、その駆動力が減速伝達機構１７を介して遊星歯車クラッチ機構１８に伝達され、該遊星歯車クラッチ機構１８がミラー・シャッタ駆動ユニット１６のシャッタチャージ機構９及びミラー駆動機構８に駆動力伝達可能に連結されて、フォーカルプレンシャッタ２１及びメインミラー２０を撮影位置に移動設定する。この際、これらフォーカルプレンシャッタ２１及びメインミラー２０は、その位置が位置検出手段４５により検出され、その検出情報が上記ＣＰＵ４２に供給されることにより、上記第１のモータ１９がモータ制御回路４０を介して駆動制御されて所期位置に設定される。
【００３８】
他方、第２のモータ２４は、上記ＣＰＵ４２からの駆動信号に応動して正逆反転駆動制御され、その第１方向の回転駆動により、上述したように遊星歯車クラッチ機構２９を駆動制御して選択的にカメラ本体１０のスプール室１４内のスプール２６を回転駆動して、パトローネ室１２に収容された上記フィルムパトローネ（図示せず）に巻装されるフィルムを、スプール２６に巻上げ給送する。
【００３９】
そして、第２のモータ２４は、例えば上記フィルム巻戻し検出スイッチ４４がフィルム終端を検出して、その検出信号がＣＰＵ４２に入力され、ＣＰＵ４２から反転駆動信号がモータ制御回路４０に入力されると、反転されて第２方向に回転駆動される。すると、上記遊星歯車クラッチ機構２９は、その遊星歯車３０が図５中時計方向に公転され、図５に示すように第２の巻上げ歯車２８の大歯車部２８２から離脱されて、そのアーム部材３２が突起部３３に当接した解除位置に移動され、第２のモータ２４の駆動が停止される。
【００４０】
ここで、遊星歯車３０の歯部には、上述したように板バネ３４の係止部３４１が弾性係合されて、その自転力が公転力に変換されると共に、該板バネ３４の付勢力が、突起部方向に付勢される。これにより、上記アーム部材３２は、板バネ３４の付勢力によりユニットケース２５の突起部３３に圧接された状態で解除位置に位置決めされる。
【００４１】
なお、第２のモータ２４によりアーム部材３２が突起部３３に当接した解除位置に駆動された時、第２のモータ２４の駆動は、停止信号が出るまで回転し続けて遊星歯車３０が、その場で回転駆動されるが、遊星歯車３０は、板バネ３４の係止部３４１を歯部で逃がすように撓ませながら自転可能である。
【００４２】
次に、上記カメラ駆動制御系におけるフィルムをフィルムパトローネに巻戻し給送する巻戻し動作について説明する。
【００４３】
例えばフィルムがスプール２６に全て巻き上げられると、図７に示すようにステップＳ１において、フィルム巻戻し検出スイッチ４４がオンされる。すると、このフィルム巻戻し検出スイッチ４４の検出信号がＣＰＵ４２に入力され、これに応動してＣＰＵ４２は、反転駆動信号を生成してモータ制御回路４０に出力する。
【００４４】
ここで、上記第１方向に回転駆動されてフィルム巻上げ給送を行っていた第２のモータ２４が、反転されて第２方向に回転駆動される（ステップＳ２）。これにより、上記遊星歯車クラッチ機構２９は、その太陽歯車３１が反転駆動されて、遊星歯車３０がアーム部材３２を介してフィルム巻上げ給送位置である伝達位置から図中時計方向に公転される。この結果、遊星歯車クラッチ機構２９は、その遊星歯車３０が、第２の巻上げ歯車２８の大歯車部２８２から離間されて、アーム部材３２がユニットケース２５の突起部３３に当接される解除位置に移動される。
【００４５】
この解除位置において、遊星歯車３０の歯部には、板バネ３４の係止部３４１が弾性係合される。ここで、遊星歯車３０は、その歯部に弾性係合される板バネ３４の係止部３４１により、その自転力が公転力に変換されて、突起部方向に付勢される。この状態で、ＣＰＵ４２は、所定時間後、停止信号をモータ制御回路４０に出力し、上記第２のモータ２４の駆動を停止させる（ステップＳ３）。この結果、遊星歯車３０は、そのアーム部材３２が、板バネ３４の付勢力によりユニットケース２５の突起部３３に圧接されて位置規制された状態で、解除位置に位置決めされる。
【００４６】
ここで、ＣＰＵ４２は、巻戻し駆動信号をモータ制御回路４０に出力し、第１のモータ１９をフィルム巻戻し給送モードに対応して回転駆動する。これにより、フィルム巻戻し機構２２には、上記第１のモータ１９の回転力が減速伝達機構１７及び遊星歯車クラッチ機構１８を介して伝達されて回転駆動され、パトローネ室１２内に収容されたフィルムパトローネへのフィルムのフィルム巻戻しが実行される。
【００４７】
このフィルム巻戻し状態において、上記フィルム移動検出手段４１でフィルムの有無が検出され（ステップＳ５）、その検出信号がＣＰＵ４２に入力される。このステップＳ５において、フィルムの検出信号有りを判定すると、ＣＰＵ４２は、再びステップＳ４に戻って第１のモータ１９を駆動制御して、フィルム巻戻し給送が続行される。
【００４８】
そして、ステップＳ５において、検出信号無しが判定されると、ステップＳ６に移行してＣＰＵ４２は、停止信号を生成してモータ制御回路４０に出力する。ここで、モータ制御回路４０は、所定の時間経過後、第１のモータ１９の駆動を停止させて、フィルム巻戻し給送が完了される。
【００４９】
なお、上記フィルム巻戻し給送は、その他、図示しないフィルム巻戻し操作部が選択的に操作されてフィルム巻戻しスイッチ４４がオンされた場合においても、上記ステップＳ１〜Ｓ８の手順で、同様に行われる。
【００５０】
また、フィルムパトローネに巻装されたフィルムをスプール室１４のスプール２６に巻上げ給送するフィルム巻上げ動作は、巻戻し系の遊星歯車クラッチ機構１８が駆動制御されてフィルム巻戻し機構２２との駆動経路が断された状態で、上述したように遊星歯車クラッチ機構２９の遊星歯車３０が時計方向に回動されて第２の巻上げ歯車２８の大歯車部２８２に歯合されて巻上げ駆動経路が形成され、そのスプール２６が回転駆動されて実行される。
【００５１】
このように、上記カメラは、板バネ３４を巻上げ駆動ユニット２３を選択的に駆動制御してフィルムパトローネのフィルムをカメラ本体１０のスプール２６に巻上げ駆動する遊星歯車クラッチ機構２９の遊星歯車３０の公転軌跡内に配置し、規制用突起部３３を、遊星歯車３０と太陽歯車３１とを公転可能に連結するアーム部材３２の解除位置に対応して設けて、上記遊星歯車３０が伝達配置から解除位置に公転された状態で、板バネ３４の係止部３４１が遊星歯車３０の歯部に弾性係合されると共に、上記アーム部材３２の側部が上記突起部３３に当接するようにして、遊星歯車３０の自転力を公転力に変換し、その公転力を利用して板バネ３４の付勢力を遊星歯車３０に付与することにより、アーム部材３２を突起部３３に圧接させて解除位置に位置規制するように構成した。
【００５２】
これによれば、遊星歯車３０の切換角度の最小限化が図れ、しかも、外部衝撃による遊星歯車３０の誤動作を確実に防止することができることにより、従来のように固定歯車を遊星歯車３０の公転軌跡内に配設することが無くなるため、可及的に小型化の促進を図ることができる。
【００５３】
なお、上記実施の形態では、弾性部材として板バネ３４を用いて構成した場合で説明したが、これに限ることなく、各種のバネ材（線材、その他）を用いて構成することが可能である。
【００５４】
また、上記実施の形態では、遊星歯車３０と太陽歯車３１とを公転可能に連結するアーム部材３２をユニットケース２５の突起部３３に当接させて位置規制するように構成した場合で説明したが、これに限ることなく、遊星歯車クラッチ機構２９の他の構成部品を解除位置に位置規制するように構成することも可能である。
【００５５】
さらに、上記実施の形態では、フィルム巻上げ系の遊星歯車クラッチ機構２９に適用した場合で説明したが、これに限ることなく、フィルム巻戻し系の遊星歯車クラッチ機構１８や、その他の各種のカメラ駆動機構に配設される遊星歯車クラッチ機構においても適用可能であり、いずれの場合にも同様の効果を期待することができる。
【００５６】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００５７】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００５８】
上述した実施の形態に基づいて
（１）モータの第１方向の回転によりカメラ駆動機構と歯合して上記モータの駆動力を伝達する伝達位置と、上記モータの第２方向の回転により上記カメラ駆動機構から離間して伝達を解除する解除位置と、の間を移動可能な遊星歯車を有する遊星歯車クラッチ機構と、
上記遊星歯車クラッチ機構の遊星歯車の公転軌跡内に配置されていて、上記モータの第２方向の回転による遊星歯車の公転を、上記解除位置にて規制する規制部材と、
上記遊星歯車クラッチ機構の遊星歯車の公転軌跡内に該遊星歯車と係合可能に配置されていて、上記モータの第２方向の回転により上記遊星歯車クラッチ機構が、上記解除位置へ公転移動する際に、上記遊星歯車と係合する弾性部材と、を具備し、
上記弾性部材は、上記解除位置で上記モータの回転が停止した状態では、上記遊星歯車クラッチ機構が、上記解除位置から移動しないように、該遊星歯車クラッチ機構を上記規制部材に当接させる方向に付勢し、上記モータが第１方向に回転駆動されると、上記遊星歯車クラッチ機構に対して上記解除位置から上記伝達位置への移動を許容することを特徴とするカメラを提供することができる。
【００５９】
（２）モータにより駆動される太陽歯車と、該太陽歯車に歯合する遊星歯車と、該遊星歯車の公転軌跡上に配置された被駆動歯車とを備え、上記モータの第1方向の回転による上記遊星歯車の第1方向の公転移動により、該遊星歯車を、上記被駆動歯車に歯合させて回転を伝達する伝達位置と、上記モータの第２方向の回転による上記遊星歯車の第２方向の公転移動により、上記被駆動歯車から離間させて伝達を解除する解除位置とに切り換える遊星歯車クラッチ機構を有するカメラにおいて、
上記遊星歯車クラッチ機構の遊星歯車の公転軌跡内に配置されていて、上記モータの第２方向の回転による上記遊星歯車の公転を、上記解除位置にて規制する規制部材と、
上記遊星歯車クラッチ機構の遊星歯車の公転軌跡内に該遊星歯車と係合可能に配置されていて、上記解除位置で上記モータの回転が停止した状態にて上記遊星歯車クラッチ機構を、上記解除位置から移動しないように上記規制部材に当接させる方向に付勢する弾性部材と、
を具備することを特徴とするカメラを提供することができる。
【００６０】
（３）モータにより駆動される太陽歯車と、該太陽歯車に歯合する遊星歯車と、該遊星歯車の公転軌跡内に配置された被駆動歯車とを備え、上記モータの第１方向の回転による上記遊星歯車の第１方向の公転移動により、該遊星歯車を、上記被駆動歯車に歯合させて回転を伝達する伝達位置と、上記モータの第２方向の回転による上記遊星歯車の第２方向の公転移動により、該遊星歯車を上記被駆動歯車から離間して伝達を解除する解除位置とに切り換える遊星歯車クラッチ機構を有するカメラにおいて、
上記遊星歯車クラッチ機構の遊星歯車の公転軌跡内に配置されていて、上記モータの第２方向の回転による上記遊星歯車の公転を上記解除位置にて規制する規制部材と、
上記遊星歯車クラッチ機構の遊星歯車の公転軌跡内に該遊星歯車と係合可能に配置されていて、上記モータの第２方向の回転により上記遊星歯車クラッチ機構が上記解除位置へ公転移動する際に、上記遊星歯車と係合しつつ弾性変形して該遊星歯車の上記解除位置への公転を許容する弾性部材と、を具備し、
上記遊星歯車クラッチ機構の遊星歯車が上記解除位置に達して上記モータの回転が停止した状態では、上記規制部材及び上記弾性部材によって上記遊星歯車が、上記解除位置に係止されていることを特徴とするカメラを提供することができる。
【００６１】
（４）上記（１）（２）（３）に記載される弾性部材は、上記遊星歯車の歯部に係合する係合部を有することを特徴とするカメラを提供することができる。
【００６２】
（５）上記（２）（３）において、さらに、巻上げ軸の回転駆動による少なくともフィルム巻上げ給送を行なう際には、上記被駆動歯車に連結されているフィルム巻上げ機構の巻上げ軸の回転駆動によるフィルム巻上げ給送を行なうように、上記モータの第１方向の回転により上記遊星歯車を、上記解除位置へ位置させ、また、上記巻上げ軸からフィルムパトローネヘのフィルム巻戻し駆動を行なう際には、上記モータを第２方向の回転に所定時間あるいは所定量回転させて上記遊星歯車を上記解除位置へ位置させるように、上記モータを駆動制御する制御手段を有することを特徴とするカメラを提供することができる。
【００６３】
（６）上記（２）（３）に記載の弾性部材は、上記遊星歯車が、上記被駆動歯車に歯合した上記伝達位置から上記解除位置へ向かって公転され、上記被駆動歯車との歯合が解除されるのと略同時に該遊星歯車と係合するように配設されることを特徴とするカメラを提供することができる。
【００６４】
【発明の効果】
以上詳述したように、この発明によれば、構成簡易にして、スペースをとらずに小型化の促進を図り得、且つ、確実な動作制御を実現し得るようにした駆動伝達機構を提供することができる。
【図面の簡単な説明】
【図１】この発明の一実施の形態に係るカメラの概略構成を示した分解斜視図である。
【図２】図１のフィルム駆動制御系の要部を示したブロック図である。
【図３】図１の巻上げ駆動ユニット、第２のモータ及びスプールを取出して示した分解斜視図である。
【図４】図１の巻上げ駆動ユニット及び第２のモータの組付けた状態を示した斜視図である。
【図５】図１の巻上げ駆動ユニットの遊星歯車クラッチ機構の遊星歯車が解除位置に移動された状態を示した平面図である。
【図６】図１の巻上げ駆動ユニットの遊星歯車クラッチ機構の遊星歯車が伝達位置に移動された状態を示した平面図である。
【図７】図１のフィルム巻戻し給送を説明するために示したフローチャートである。
【符号の説明】
８  …  ミラー駆動機構
８１  …  ミラー駆動レバー
９  …  シャッタチャージ機構
１０  …  カメラ本体
１１  …  ミラーボックス
１２  …  パトローネ室
１３  …  電池室
１４  …  スプール室
１５  …  カメラ駆動機構取付台
１６  …  ミラー・シャッタ駆動ユニット
１７  …  減速伝達機構
１８  …  遊星歯車クラッチ機構
１９  …  第１のモータ
１９１  …  接続端子
２０  …  メインミラー
２１  …  フォーカルプレンシャッタ
２２  …  フィルム巻戻し機構
２２１  …  巻戻し歯車
２２２  …  フォーク歯車
２２３  …  フォーク部
２３  …  巻上げ駆動ユニット
２４  …  第２のモータ
２４１  …  接続端子
２５  …  ユニットケース
２５１  …  ボス
２５２  …  位置決めボス
２６  …  スプール
２６１  …  巻上げ歯車
２７  …  第１の巻上げ歯車
２７１  …  小歯車部
２７２  …  大歯車部
２８  …  第２の巻上げ歯車
２８１  …  小歯車部
２８２  …  大歯車部
２９  …  遊星歯車クラッチ機構
３０  …  遊星歯車
３１  …  太陽歯車
３１１  …  小歯車部
３１２  …  大歯車部
３２  …  アーム部材
３３  …  突起部
３４  …  板バネ
３４１  …  係止部
３４２  …  取付部
３４３  …  ボス孔
３５  …  蓋
３６  …  移動検出円板
３６１  …  検出パターン
３７  …  フォトインタラプタ
４０  …  モータ制御回路
４１  …  フィルム移動検出手段
４２  …  ＣＰＵ
４４  …  フィルム巻戻し検出スイッチ
４５  …  位置検出手段
【図１】
0004033680.tif 000002
【図２】
0004033680.tif 000003
【図３】
0004033680.tif 000004
【図４】
0004033680.tif 000005
【図５】
0004033680.tif 000006
【図６】
0004033680.tif 000007
【図７】
0004033680.tif 000008